(57)【要約】  本発明は、屋上緑化システムに使用する容器に関するものであり、容器は４つの側面を有し、側面が容器の深さを定める上端部及び底端部をそれぞれ有し、前記深さが少なくとも植物及び成長媒体を収容するものであって、容器は、その底端部に延びる溝ををさらに有し、その溝が、少なくとも、その側壁を形成する、容器よりも低い２つのエッジパネルによって形成され、容器に流入した流体を排出するため、溝がその一端に少なくとも１つの開口部を有する。本発明は、如何なる業界においても、外部から一切管理することなく、一定レベルの流体を保持する必要性がある場合に使用することができるという有利な効果を有する。さらに、本発明は、成長媒体のガードを含むことができ、これが屋上緑化システムに使用された場合、大量の流体が流入した際も、成長媒体が容器から流出するのを防ぐことができる。
2009513132.tif 000002
【特許請求の範囲】
【請求項１】
屋上緑化システムに使用するための容器であって、該容器は４つの側面を有し、該側面が、前記容器の深さを定める上端部及び底端部をそれぞれ有し、
前記深さが、少なくとも植物及び成長媒体を収容するものであって、前記容器が、その底端部に延びる溝をさらに有し、該溝が、その側壁を形成する前記容器よりも低い少なくとも２つのエッジパネルによって形成され、前記溝が、その一端に、前記容器に流入した流体を排出するための、少なくとも１つの開口部を有する、容器。
【請求項２】
前記溝の両側に、前記容器内に流入した流体を或るレベルで保持するための少なくとも１つの区画部をさらに有し、該区画部が、エッジパネルと少なくとも２つの容器側面によって形成される、請求項１の容器。
【請求項３】
前記区画部が、該区画部を横断する少なくとも１つの内部パネルを有し、該内部パネルが、前記溝を形成する前記エッジパネルとほぼ同じ高さである、請求項１又は２の容器。
【請求項４】
前記内部パネルの高さが、前記容器の側面よりも低くなっている、請求項１から３のいずれかの容器。
【請求項５】
前記内部パネルが、各区画部内において格子状に配置され、各区画部内に小区画部が形成されている、請求項１から４のいずれかの容器。
【請求項６】
前記内部パネルが、区画部の前記小区画部内で流体の流れを生じさせ、格子状の各小区画部内でほぼ同量の流体が保持されるようにするため、その上端部に切欠部をさらに有する、請求項１から５のいずれかの容器。
【請求項７】
対向縁部に沿って、取扱いを容易にするための延長縁部をさらに有する、請求項１から６のいずれかの容器。
【請求項８】
第１延長縁部が前記容器の上端部に沿って形成され、第２延長縁部が容器の上端部からオフセット位置に形成されている、請求項７の容器。
【請求項９】
前記延長縁部が、前記容器の４側面全てに形成されている、請求項７又は８の容器。
【請求項１０】
前記延長縁部が、１組の隣接側面についてはその上端部に形成され、対向するもう１組の隣接側面については前記容器の上端部からオフセット位置に形成されている、請求項９の容器。
【請求項１１】
隣接する容器と連結するための連結手段を有する、請求項１から１０のいずれかの容器。
【請求項１２】
前記連結手段が、前記容器の前記延長縁部上に設けられている、請求項７乃至１１のいずれかの容器。
【請求項１３】
前記連結手段が、前記容器の一方の延長縁部においては雄型部材であり、他方の延長縁部においては雌型部材である、請求項１１の容器。
【請求項１４】
前記連結手段が、前記延長縁部に沿って設けられたスロットである、請求項１１の容器。
【請求項１５】
前記スロットが、第１容器の延長縁部を第２容器の延長縁部に連結することにより、第１容器と第２容器を相互に連結するための締結具をさらに有する、請求項１４の容器。
【請求項１６】
流体を通過させるための多孔層及びその上に容器内の植物の生育を促進するための成長媒体をさらに有する、請求項１から１５のいずれかの容器。
【請求項１７】
前記容器内に前記多孔層を固定するためのピンをさらに有する、請求項１６の容器。
【請求項１８】
前記多孔層の下に配置され、該多孔層を支持するメッシュ層をさらに有する、請求項１６又は１７の容器。
【請求項１９】
前記多孔層がフィルタ層である、請求項１６から１８のいずれかの容器。
【請求項２０】
前記多孔層及び前記メッシュ層が一体化されている、請求項１８の容器。
【請求項２１】
前記溝の他端に開口部をさらに有する、請求項１から２０のいずれかの容器。
【請求項２２】
前記溝内に流入した流体の排出を促進するため、前記溝が傾斜面となっている、請求項１から２１のいずれかの容器。
【請求項２３】
前記容器を使用する際に載置される積層が、内部パネル、メッシュ層、多孔層及びその上に植えられる植物の生育を促進するための成長媒体又は植物用媒体である、請求項１から１９、２１及び２２のいずれかの容器。
【請求項２４】
前記容器を使用する際に載置される積層が、内部パネル、装着部材、成長媒体、植物用又は装飾用媒体である、請求項１から１８、２０から２２のいずれかの容器。
【請求項２５】
前記積層にフィルタシートがさらに含まれ、前記容器内に載置される積層が、内部パネル、装着部材、成長、植物用又は装飾用媒体、フィルタシートである、請求項２４の容器。
【請求項２６】
複数の請求項１から２５のいずれかの容器により構成される、熱帯性気候下での使用に適した屋上緑化システム。
【請求項２７】
延長縁部に沿って設けられた給水管をさらに有する、請求項２６の屋上緑化システム。
【請求項２８】
前記延長縁部が、前記容器の前記延長縁部に沿って前記給水管を保持するため保持手段を有する、請求項２７の屋上緑化システム。
【請求項２９】
前記容器の前記開口部に嵌合する外径を有する導水管をさらに有する、請求項２６から２８のいずれかの屋上緑化システム。
【請求項３０】
第１容器の開口部と第２容器の開口部間に前記導水管を連結することにより、第１容器と第２容器が連結され、第１容器から第２容器に流体が移行するようになっている、請求項２６から２９のいずれかの屋上緑化システム。
【請求項３１】
前記スロットが、第１容器の延長縁部を第２容器の延長縁部に連結することにより、第１容器と第２容器を相互に連結するための締結具をさらに有する、請求項２６から３０のいずれかの屋上緑化システム。
【請求項３２】
第１の容器からそれに続く容器に流入する流体が、屋上の排水口に流れ込むように配置されている、請求項２６から３１のいずれかの屋上緑化システム。
【発明の詳細な説明】
【技術分野】
【０００１】
本発明は、熱帯性気候下での使用において有利な効果を有する容器及び同容器を使用した屋上緑化システムに関する。
【背景技術】
【０００２】
都市は、しばしば、ヒートアイランドであると言われる。都市部は、ビルが林立し地面が人工的に造られているため、植物を植えるためのスペースが少なく、周辺の農村部より気温が高いのが通常である。このような地表は、熱を周囲に放射する前に吸収し蓄えてしまうため、「都市ヒートアイランド効果」として知られる現象が発生する。
【０００３】
経済発展及び土地開発の拡大により、多くの都市では、もはや地上に緑を植えるための十分なスペースはない。都市部のヒートアイランド現象を緩和するためには、植物を植えるための代替的スペースを見出さなければならない。
【０００４】
屋上庭園は、居住環境を改善するために、建物の密集した都市部において植物を植えるための新たなスペースを作る１つの方法である。それにより、都市部の風景に彩を添え、人口密度の高い都市において極めて限られているスペースを使うことなく、草木を茂らせることができる。
【０００５】
現在の標準的な屋上緑化システムは、屋根の上に敷かれる防水性の膜、屋根の保護材、水分保持層、排水層、成長媒体(growth  medium)層、及び栄養層(vegetative  layer)とからなる。これらの層は、通常現場で設置される。作業者は、これらの構成要素を一層ずつ屋根の上に設置しなければならない。
【０００６】
シンガポールの公共住宅の屋根には異なるシステムが採用されている。コンクリートの屋根本体の上に、熱に対するバリアとなる補助的な屋根が使用され、これによって屋根本体が吸収する熱を最小化し、その直下にある居住部分に伝わる熱を減らすのである。補助屋根システムは、コンクリート製のスツールの上に設置された複数のフェロセメント製屋根厚板により構成され、厚板相互間及び屋根本体との間に空隙が設けられている。気温の高い日には、フェロセメント製屋根厚板の表面温度は６０℃を超えることもある。空隙内の空気が断熱材の機能を果たし、屋根本体への熱伝導を最小限に抑えることができる。補助屋根システムは、最上階の住居の断熱には効果的であるが、フェロセメント製屋根厚板が放射する光と熱は、より高層の近隣のビルの居住者にとっては耐え難いものとなり得る。これは、低層のブロックの屋根と同じか、ほぼ同じ高さのユニットの居住者にとって特に顕著である。
【０００７】
公共住宅の屋根の上には、通常水槽や配管等の機械設備が設置されている。これらが障害となって、典型的な区画化された屋上緑化システムを導入することは困難なのが実情である。
【０００８】
一般的に、現在の屋上緑化システムにおいては、植物は現場で植えられ、当初の表面カバー率は６０％未満の場合もある。全体が覆われるのに９ヶ月から１年かかることもある。熱帯性の気象条件の下では、以下のような欠点がある。
・気温が極めて高い日には、露出している成長媒体は、コンクリートの地表と同じくらい高温となることが研究により明らかとなった。従って、屋上緑化システムを使用するメリットがない。
・成長媒体を保持する植物、すなわち、根が不充分なため、豪雨の日には雨により成長媒体が流出又は侵食されてしまう。
【０００９】
様々な屋上緑化用トレーやシステムが、従来技術により提供されている。特開平１１−１５５３６９号は、相対向する側壁にトレー内の水を排出するための排水穴を有する栽培トレーを開示する。しかしながら、この種のトレーは、排水穴が細かい粒子や、凝固物、石屑等によって容易に詰まることにより、トレー内に滞水が生じるという欠点を有する。また、上記のような熱帯気候の下では、モンスーンの時期には大量の雨が降るため、この種のトレーは多量の雨水をうまく排出することができないと考えられる。さらにもう一つの欠点は、排水穴がトレーの下端に設けられているため、排水穴が詰まってしまった場合を除き、雨水を保持するための方策がないことである。従って、トレー上の植物には原則として水をやらなければならず、省資源にならない。
【００１０】
ＰＣＴ／ＵＳ０１／２２７９９に、他の屋上緑化システムが開示されている。この発明によれば、トレーには、トレーの下、すなわち、屋根の上に流体（fluid）を排出するための排水穴を有するリブが設けられている。このトレーは、一 定程度の流体を保持することができ、従って、水の省資源につながる点で、特開平１１−１５５３６９よりも優れているが、排水穴が設けられているためにこれが詰まる可能性があり、うまく排水できないという欠点を有する。このシステムにおけるトレーのさらなる欠点は、雨水がトレーの下に排出されるということである。これにより、雨水は長期にわたり気付かれることなくトレーの下に溜まってしまい、屋根の水漏れやさらには蚊の繁殖の原因にもなり得る。
【発明の開示】
【発明が解決しようとする課題】
【００１１】
本発明は、上記の課題の１つ又は全てを改善することを目的とする。
【課題を解決するための手段】
【００１２】
本発明の実施形態によれば、屋上緑化システムに使用するための容器を提供することができ、該容器は４つの側面を有し、該側面が前記容器の深さを定める上端部及び底端部をそれぞれ有し、前記深さが少なくとも植物及び成長媒体を収容するものであって、前記容器がその底端部に延びる溝をさらに有し、該溝が少なくとも、その側壁を形成する前記容器よりも低い２つのエッジパネルによって形成され、前記容器に流入した流体を排出するため、前記溝がその一端に少なくとも１つの開口部を有する。
【００１３】
上記容器は、容器内に流入した流体を或るレベルで保持するため、溝の両側に、エッジパネルと少なくとも２つの容器側面によって形成される少なくとも１つの区画部をさらに有することが好ましい。これにより内部貯水槽が形成され、降水のないときに流体の供給源となるという有利な効果を有する。
【００１４】
さらに、区画部は、溝を形成するエッジパネルとほぼ同じ高さの、前記区画部を横断する少なくとも１つの内部パネルをさらに有することが好ましい。内部パネルは、区画部上に載置される一連の層を支える基礎となる。
【００１５】
好適な実施形態においては、内部パネルは格子状に配置され、各区画部が小区画部を形成する。
【００１６】
内部パネルは、その上端部に切欠部をさらに有することが好ましく、これにより区画部内で流体の流れが生じ、格子状の各小区画部内でほぼ同量の流体が保持される。各小区画部内に保持される流体量が最大化されることにより、区画部により保持される流体量も増加する。
【００１７】
本容器は、容易に取扱うことができるようにするため、対向縁部に沿って延長縁部をさらに有することが好ましい。
【００１８】
好適な実施形態においては、第１延長縁部は本容器の上端部に沿って設けられ、第２延長縁部は容器の上端部からオフセット位置に形成されている。
【００１９】
他の実施形態においては、延長縁部は本容器の全４側面から延びている。
【００２０】
延長縁部は、１組の隣接側面についてはその上端部に形成され、対向するもう１組の隣接側面については容器の上端部からオフセット位置に形成されるのが好ましい。
【００２１】
さらにもう１つの好適な実施形態においては、本容器は隣接する容器と連結するための連結手段を有する。
【００２２】
連結手段は、本容器の延長縁部上に設けられることが好ましい。
【００２３】
さらに好ましくは、連結手段は、本容器の一方の延長縁部においては雄型部材であり、他端の延長縁部においては雌型部材として形成される。
【００２４】
他の実施形態においては、連結手段は延長縁部に沿って設けられたスロットである。
【００２５】
スロットは、第１容器の延長縁部を第２容器の延長縁部に連結するための締結具をさらに有することが好ましく、これにより、第１容器と第２容器を相互に連結することができる。
【００２６】
本発明のもう１つの側面によれば、本容器は、流体を通過させるための多孔層及びその上に容器内の植物の生育を促進するための成長媒体をさらに有する。
【００２７】
本容器は、容器内に多孔層を固定するためのピンをさらに有することが好ましい。
【００２８】
さらに、本容器は、多孔層の下に配置され、同多孔層を支持するメッシュ層を有するのが好ましい。
【００２９】
好適な実施形態では、多孔層はフィルタ層である。
【００３０】
他の実施形態においては、多孔層及びメッシュ層は、一体化され装着部材を形成している。
【００３１】
他の好適な実施形態において、本容器は溝の他端に開口部をさらに有する。
【００３２】
好適な実施形態においては、溝内に流入した流体の排出を促進するため、溝は傾斜面となっている。
【００３３】
本容器を使用する際に載置される積層は、内部パネル、メッシュ層、多孔層及びその上に植えられる植物の生育を促進するための成長媒体又は植物用媒体であることが好ましい。
【００３４】
他の実施形態においては、本容器を使用するにあたり載置される積層は、内部パネル、装着部材、成長、植物用又は装飾用媒体である。
【００３５】
さらに他の実施形態では、層にはフィルタシートがさらに含まれ、本容器内に載置される積層は、内部パネル、装着部材、成長、植物用又は装飾用媒体、フィルタシートである。
【００３６】
実施形態においては、本容器は溝の他端に開口部をさらに有し、これにより流体が溝を通過することができる。
【００３７】
本発明の他の側面によれば、熱帯性気候下での使用に適した屋上緑化システムに使用するための容器を提供することができ、該容器は４つの側面を有し、該側面が前記容器の深さを定める上端部及び底端部をそれぞれ有し、前記深さが少なくとも植物及び成長媒体を収容するものであって、前記容器がその底端部に延びる溝をさらに有し、該溝が少なくとも溝の側壁を形成する前記容器よりも低い２つのエッジパネルによって形成され、前記容器に流入した流体を排出するため、前記溝がその一端に少なくとも１つの開口部を有する。
【００３８】
本システムは、延長縁部に沿って設けられた給水管をさらに有することが好ましい。
【００３９】
さらに、延長縁部は、本容器の延長縁部に沿って給水管を保持するための保持手段を有するとより好ましい。
【００４０】
本システムは、本容器の開口部に嵌合する外径を有する導水管をさらに有することが好ましい。
【００４１】
第１容器の開口部と第２容器の開口部間に導水管を連結することにより第１容器と第２容器が連結されることが好ましく、これにより、第１容器から第２容器に流体が移行する。
【００４２】
さらに、第１容器からそれに続く容器に流入する流体が、屋上の排水口に向けられるのが好ましい。
【発明を実施するための最良の形態】
【００４３】
以下、本発明の好適な実施形態について詳説する。具体例は添付の図面に示されているとおりである。本発明の好適な実施形態は、本発明の範囲をこれらの実施形態に限定するものではない。本発明は、請求項により定められる本発明の趣旨と範囲に含まれ得る代替物、変形物及び均等物を含むものである。また、以下の実施形態の詳細な説明における多数の具体的かつ詳細な記述は、本発明の実施形態の理解を助けるためのものである。
【００４４】
以下では、屋上緑化システムにおける使用法に関して本発明の説明を行う。しかし、本発明は、他の分野又は他の使用法に応用可能であることを理解されたい。本発明は、利用者が、電子的手段を使うことなく一定量の流体を保持しようとする場合に特に効果を有するものである。
【実施形態１】
【００４５】
図１は、屋上緑化システムにおいて使用される容器の実施形態を示す図である。容器１００は、４つの側面１０、２０、３０、４０によって形成され、それぞれ上部端１１、２１、３１、４１及び底端部１２、２２、３２、４２を有する。上部端及び底端部が容器の深さを定める。
【００４６】
容器１００は、容器の底端部に延びる溝(channel)５０をさらに有する。本発 明によれば、本容器は、溝５０の一端に開口５１をさらに有し、ここから溝５０内の流体が溝５０外に排出される。溝５０は、容器１００の側面１０、２０、３０、４０よりも低い２つのエッジパネル５２、５３により形成される。これにより、図１に示すように、エッジパネルと容器の側面によって区画部が形成される。すなわち、エッジパネル５２と側面パネル１０、３０及び４０によって第１区画部６０が形成される。エッジパネル５３と側面パネル１０、２０、３０によって第２区画部７０が形成される。区画部６０及び７０は、容器１００内に植えられる植物のために必要な一定レベルの流体を保持することができ、内部貯水槽を形成する。貯水槽から溢れ出る流体は溝５０に流入する。植物及び成長媒体は、区画部６０、７０及び溝５０上に載置される。当業者にとって周知のように、保持される流体量は、エッジパネルの高さ又は容器の大きさ、溝の寸法によって変えることができる。
【実施形態２】
【００４７】
図２に示すように、区画部の上に成長媒体を載置するため、区画部の内部にさらにパネルを設け、格子状に形成することができる。
【００４８】
内部パネル６１、６２、６３、７１、７２、７３によって形成される格子状の区画部は、その上に載置される一連の層のための構造的基礎となる。内部パネルは容器１００の強度を増す効果も有する。
【００４９】
図３は、図２における容器１００のＡ−Ａ線での断面図である。図３は、特に屋上緑化容器に使用される層を示している。上記のとおり、内部パネルは、植物の生育に適した積層のための基礎となる。内部パネル６３の上には、フィルタシート６４として図示される、多孔層６５が載置されている。フィルタシート６４の上には、成長媒体又はその他の植物用媒体６６が載置され、その上に植物が植えられる。容器１００内に流入した流体は、フィルタシート６４を通って区画部６０、７０又は溝５０に流入するが、成長媒体又は他の植物用媒体６６は同シートを通過しない。植物の根は、フィルタシートを貫通することができる。貫通した根は、内部貯水槽から直接流体を吸収することができるため、植物の成長は妨げられない。
【実施形態３】
【００５０】
第１容器と他の容器の連結を容易にするために、容器の延長縁部は異なる高さに形成される。第1容器を第２容器と連結する際は、上端部に沿って延長縁部が形成された容器の側面が、開口縁部からオフセット位置に延長縁部が形成された第２容器の側面の上部に配置されるため、これにより延長縁部に反りやひずみを生ずることなく連結することができる。
図４Ａに示すように、第１延長縁部１１０は開口縁部４１に沿ってその上端部から延びているのに対し、対向する第２延長縁部１２０は、容器の上端部２１のオフセット位置から延びている。
【００５１】
図４Ｂは、図４ＡのＢ−Ｂ線での断面図である。高い方の延長縁部１１０は、上端部４１に沿って形成されており、低い方の延長縁部１２０は、上端部２１からｘ離れたオフセット位置に設けられている。
【００５２】
図４Ｃは、第１容器１００と第２容器２００を連結する際に、延長縁部がオフセット位置に形成されていることの効果を示す図である。オフセット位置ｘの距離は、少なくとも延長縁部の厚さであることが好ましい。
【００５３】
容器は断面図の形で示されており、便宜上、第１容器をハッチングで示している。図から容易に理解できるように、２つの容器は容易に並列配置することができ、その結果、第１に、隣接させて設置することができるためスペースを最大限に生かすことが可能となり、第２に、屋外での平面配置が可能となるという効果を有する。
【００５４】
容器を固定するために、第１容器を他の容器に連結するための連結手段をさらに有することもできる。
【００５５】
図４Ｄは、連結された容器の斜視図である。連結手段８０は、ユーザーが容器を容易に連結させたり外したりすることができるよう、延長縁部上に設けられることが好ましい。
【００５６】
図４Ｄにおいて、連結手段８０はスロット８１として図示されており、第１容器及び第２容器は、締結具３００により、第１容器の延長縁部１２０と第２容器の延長縁部２１０を固定することによって相互に連結され、屋上緑化システムが形成される。図４Ｅは、スロット８１及び締結具３００として形成される連結手段８０の断面図である。スロットは、ユーザーが第１容器と第２容器を真っ直ぐに並べるためのガイドの機能も有する。連結手段は延長縁部上に複数設けることができる。
【００５７】
第１容器の溝５０を第２容器の溝に連結するため、本システムはさらに、容器の開口部５１と嵌合する外径を有する導水管９０をさらに有する。図５に示すように、導水管９０の両端がそれぞれ第１容器の開口部及び第２容器の開口部に嵌合することにより、第１容器１００の溝は第２容器２００に連結される。このようにして、容器内に流入し区画部から溢れ出た流体は溝に流込み、さらに他の容器に流れ込むようになっている。
【００５８】
本発明によれば、溝内の流体は屋上の排水システムに流れ込む。
【実施形態４】
【００５９】
図６は、本容器の他の実施形態を示す図であり、溝５０の他端部に開口部５５がさらに設けられている。この実施形態においては、溝５０内の流体は溝を通抜けることができる。
【実施形態５】
【００６０】
図７Ａ及び７Ｂに示す他の実施形態においては、本容器は複数（図７Ａ及び７Ｂにおいては２つ）の溝を有している。図７Ａにおいては、溝５０、５６は隣り合わせに設けられており、３つの区画部６０、７０、１３０を形成している。図７Ｂでは、第１溝５０は第２溝５６を横断する形で設けられている。溝の配置及び数は、本発明の趣旨から外れることなく無数の置換えが可能である。
【実施形態６】
【００６１】
本容器の第６実施形態においては、図８に示すように、内部パネルはその上端部に切欠部６６を有し、これにより区画部内の流体に流れが生じて各小区画部内の流体量が一定化され、容器が保持し得る流体量を最大化することができる。
【実施形態７】
【００６２】
図９Ａに示すように、本容器の第７実施形態においては、溝は開口部５１に沿って縮減部５７を有する。縮減部５７は導水管９０の厚みである。
【００６３】
図９Ｂは、導水管９０の縮減部の効果を示す図である。図９Ｂは、導水管が挿入された場合の縮減部の作用を示している。導水管が嵌合されると、その厚みが縮減部５７によって相殺されるので、第１容器から導水管を通じて第２容器に移行する流体の流れがほぼ平面化される。これにより、蚊等の虫や害虫の繁殖原因となる滞水が防止されるという効果を有する。
【００６４】
図１０Ａは、容器上の積層の他の一例を示す図であり、内部パネル６３上にさらにメッシュ層６８を有し、これによりその上に載置されたフィルタシート６４をより安定化させることができる。成長媒体浸食ガード６９がフィルタシート６４上に載置され、成長媒体６６が成長媒体浸食ガード６９上に敷かれる。
【００６５】
成長媒体浸食ガード６９は、図１０Ｂに図示されているとおり、基本的に格子状に形成され、これにより、特に豪雨や大量の水が容器１００内に流入した場合に、成長媒体や植物が容器１００から流出するのを防止することができる。
【００６６】
実施形態において、本容器は、容器上にフィルタシート６４を固定するため、ピンの形の固定手段をさらに有する。図１０Ｃは、容器内部の両端部のピン４００を示す断面図である。
【００６７】
図１０Ｄは、相互に連結された本容器の断面図である。容器の間には、必然的に間隙６００が生ずる。間隙６００は、油虫、昆虫、鳥、鼠等の害虫や有害小動物の住処となり得る。このように間隙が害虫等の繁殖原因となり得るのを防止するため、図１０Ｅに示すように、本発明はカバー６１０をさらに有し、間隙をなくすことができる。
【実施形態８】
【００６８】
図１１は、本発明の容器の第８実施形態である。この実施形態においては、容器の４側面全てに沿って延長縁部が形成されている。図において、隣接する２側面３１及び４１に沿って、その上端部から延びる延長縁部５００（斜線部）が設けられ、残りの２側面１１及び２１の上端部からのオフセット位置には延長縁部６００（交差線部）が設けられている。
【００６９】
図１２は、相互に連結された複数の容器により形成された屋上緑化システムを表す図である。図に示されているように、システム内に滞水するのを防止するため、溝は、流体が屋上の排水システムに流れ込むように配置されている。本システムは、容器の延長縁部に沿って、複数の穴が設けられた給水管９１をさらに有し、これにより、管内に給水が行われた際、穴から水が放出され、容器内の植物上に流体が補給される。
【実施形態９】
【００７０】
図１３Ａ及び１３Ｂは、メッシュ層及び多孔層が一体化されて装着部材(insert)７００が形成されている、本容器の第９実施形態を示す図である。これを用いる際に使用する層は、装着部材７００及び成長媒体又は容器１００の美観を増すための装飾用媒体６６である。
【００７１】
図１３Ａは、流体を通過させるための孔７１０を有する装着部材の上面図、図１３Ｂは、孔７１０から流込んだ流体の流路を有する装着部材７００の底面図である。図１３Ｂに示す実施形態において、装着部材７００の底面には、複数の凸部７２０が設けられている。この凸部は、内部パネル６１、６２、６３、７１、７２、７３を介して容器１００と嵌合し得るような大きさに形成される。図１３Ｂに図示されている凸部７２０上の円形凹部は、装着部材７００の重量を軽くする効果を有する。凹部は様々な形状及び寸法に形成することができ、また、装着部材を本容器と共に使用するために凹部が形成されなければならないわけではない。
【００７２】
より有利な例として、装着部材７００の表面を孔７１０に向けて傾斜させることができ、これにより、容器内に流入した流体を孔７１０の方へ向けることができる。孔７１０は、容器１００に装着された際、溝５０上に一直線に並ぶ。図１４は、第９実施形態の容器１００と一体化されて使用される装着部材７００の図である。
【実施形態１０】
【００７３】
図１５は、必要な積層を有し屋上緑化容器として使用される本容器の他の実施形態を示す図である。使用されるのは、装着部材７００、フィルタシート６４及び成長媒体又は装飾用媒体である。フィルタシート６４をさらに有することにより、装着部材７００の上に載置される装飾用媒体又は成長媒体が孔７１０を通って落下しないため、容器内の内容物が保持される。さらに、フィルタシート６４により、雨水その他の流体は溝５０に流入し、屋上緑化システムとして使用される際、この流体が屋上の排水システムに流れ込むという効果を有する。
【００７４】
本容器は、例えば、ＨＤＰＰのような、屋外での使用に適した成形可能な材料で形成するのが好ましい。
【００７５】
本容器は、１人でも容易に扱えるよう、０．５ｍ×０．５ｍ程度の大きさに形成されるのが好ましい。
【００７６】
本容器は、相互連結を容易にするために形状が統一されていれば、正方形又は長方形のいずれであってもよい。
【００７７】
上記実施形態は、例示に過ぎず、添付の請求項により定められる本発明の範囲内で、種々の変形が可能である。
【図面の簡単な説明】
【００７８】
【図１】本発明の容器の第１実施形態。
【図２】内部パネルを有し、格子状に形成された本容器の第２実施形態。
【図３】図２の容器のＡ−Ａ線での断面図。
【図４Ａ】容器を相互に連結させることにより形成される屋上緑化システムにおいて使用するのに適した、容器の第３実施形態の上面図。
【図４Ｂ】容器の両端部における延長縁部を示す断面図。
【図４Ｃ】相互に連結された２つの容器の断面図。
【図４Ｄ】容器を相互に連結させることにより形成される屋上緑化システムにおいて使用するのに適した容器の斜視図。
【図４Ｅ】スロット及び固定手段により相互に連結された２つの容器の断面図。
【図５】第１の容器の溝と第２の容器の溝の接続方法を示す図。
【図６】容器の第４実施形態。
【図７Ａ】容器内における溝の配置の変形例を示す図。
【図７Ｂ】容器内における溝の配置の変形例を示す図。
【図８】内部パネルに切欠き部を有する容器の第６実施形態。
【図９Ａ】溝が縮減部を有する容器の第７実施形態。
【図９Ｂ】導水管を溝に設置する方法を示す図。
【図１０Ａ】容器上に載置される積層の他の実施形態を示す図。
【図１０Ｂ】本発明での使用に適した成長媒体の浸食ガード。
【図１０Ｃ】本発明において使用されるピンを図示する、本容器の断面図。
【図１０Ｄ】間に間隙を有する、相互に連結された本容器の断面図。
【図１０Ｅ】本発明において使用されるカバーを示す図。
【図１１】４つの全側面に延長縁部を有する本容器の他の実施形態を示す図。
【図１２】屋上緑化システムの容器の配置を示す図。
【図１３Ａ】本発明の容器において使用される装着部材の上面図。
【図１３Ｂ】本発明の容器において使用される装着部材の底面図。
【図１４】容器を使用する際の、容器上の積層の配置例を示す図。
【図１５】容器を使用する際の、容器上の積層の他の配置例を示す図。
【図１】
2009513132.tif 000003
【図２】
2009513132.tif 000004
【図３】
2009513132.tif 000005
【図４Ａ】
2009513132.tif 000006
【図４Ｂ】
2009513132.tif 000007
【図４Ｃ】
2009513132.tif 000008
【図４Ｄ】
2009513132.tif 000009
【図４Ｅ】
2009513132.tif 000010
【図５】
2009513132.tif 000011
【図６】
2009513132.tif 000012
【図７Ａ】
2009513132.tif 000013
【図７Ｂ】
2009513132.tif 000014
【図８】
2009513132.tif 000015
【図９Ａ】
2009513132.tif 000016
【図９Ｂ】
2009513132.tif 000017
【図１０Ａ】
2009513132.tif 000018
【図１０Ｂ】
2009513132.tif 000019
【図１０Ｃ】
2009513132.tif 000020
【図１０Ｄ】
2009513132.tif 000021
【図１０Ｅ】
2009513132.tif 000022
【図１１】
2009513132.tif 000023
【図１２】
2009513132.tif 000024
【図１３Ａ】
2009513132.tif 000025
【図１３Ｂ】
2009513132.tif 000026
【図１４】
2009513132.tif 000027
【図１５】
2009513132.tif 000028
【国際調査報告】
2009513132.tif 000029
2009513132.tif 000030